(57)【要約】【課題】板部材を天板の隣から取り外した状態でも、組み込むことができるデスク装置を提供する。【解決手段】左右方向に間隔をあけてそれぞれ床面１１の上に設置された第１支持体２および第２支持体３と、第１支持体２および第２支持体３に支持されて上面が作業面となる天板４と、天板４とは別体に設けられた平板状の板部材５と、を有し、板部材５が天板４の下側において第１支持体２と第２支持体３の間に配置された第１状態と、板部材５が一方の面が天板４の上面と面一となるように天板４と左右方向に隣接して配置された第２状態と、に組み替え可能である。【選択図】図１
2018192184.tif 000002
【特許請求の範囲】
【請求項１】
左右方向に間隔をあけてそれぞれ床面の上に設置された第１支持体および第２支持体と、
前記第１支持体および前記第２支持体に支持されて上面が作業面となる天板と、
前記天板とは別体に設けられた平板状の板部材と、を有し、
前記板部材が前記天板の下側において前記第１支持体と前記第２支持体の間に配置された第１状態と、
前記板部材が一方の面が前記天板の上面と面一となるように前記天板と左右方向に隣接して配置された第２状態と、に組み替え可能であることを特徴とするデスク装置。
【請求項２】
前記第２状態において、前記板部材は、前記第１支持体または前記第２支持体に支持されていることを特徴とする請求項１に記載のデスク装置。
【請求項３】
前記第２状態において、前記板部材は、前記板部材を支持する前記第１支持体または前記第２支持体の上面に載置されていることを特徴とする請求項２に記載のデスク装置。
【請求項４】
前記第２状態において、前記板部材は、前記天板に支持されていることを特徴とする請求項１から３のいずれか一項に記載のデスク装置。
【請求項５】
前記第１支持体と前記第２支持体とは、左右方向の離間間隔を調整可能に構成されていることを特徴とする請求項１から４のいずれか一項に記載のデスク装置。
【請求項６】
前記第１支持体および前記第２支持体の少なくとも一方は、内部に物品を収容可能な収納部を有することを特徴とする請求項１から５のいずれか一項に記載のデスク装置。
【請求項７】
前記第１支持体および前記第２支持体の少なくとも一方は、平面視形状が左右方向の一方の縁部に沿って前後方向に延びる部分と、前後方向の後側の縁部に沿って左右方向に延びる部分と、を有するＬ字形状であることを特徴とする請求項１から６のいずれか一項に記載のデスク装置。
【請求項８】
前記板部材の板面が長さの異なる長辺と短辺とを有する長方形に形成され、
前記長辺の長さ寸法が、前記天板の前後方向の長さ寸法、および前記第１状態において前記板部材が配置される前記第１支持体と前記第２支持体との間の寸法と同じ寸法であることを特徴とする請求項１から７のいずれか一項に記載のデスク装置。
【請求項９】
前記第１状態では、前記板部材は、棚板として設けられていることを特徴とする請求項１から８のいずれか一項に記載のデスク装置。
【請求項１０】
前記第１状態では、前記板部材は、幕板として設けられていることを特徴とする請求項１から８のいずれか一項に記載のデスク装置。
【請求項１１】
前記第１状態では、前記板部材は、足載せ台として設けられていることを特徴とする請求項１から８のいずれか一項に記載のデスク装置。
【発明の詳細な説明】
【技術分野】
【０００１】
本発明は、デスク装置に関する。
【背景技術】
【０００２】
オフィスや公共施設、自宅などの執務空間では、床面に設置された支持体と、支持体に支持され上面が作業面となる天板と、を有するデスク装置が使用されている。
このようなデスク装置の中には、天板とは別体に設けられた板部材を有し、板部材をその上面が天板と面一となるように天板に隣接して設置可能なデスク装置も知られている（例えば特許文献１−３参照）。
このようなデスク装置は、板部材を天板に隣接して設置することで、板部材の上面も天板の上面と共に作業面とすることができるため、必要に応じて作業面を拡張させることができる。
【先行技術文献】
【特許文献】
【０００３】
【特許文献１】特許第５３３７００３号公報
【特許文献２】特許第４３９３３７２号公報
【特許文献３】特許第４５４６８０５号公報
【発明の概要】
【発明が解決しようとする課題】
【０００４】
しかしながら、板部材を天板の隣から取り外した状態でデスク装置を使用したい場合、板部材をどこかに保管しなければならず、板部材の保管場所の確保や、保管した板部材の管理に手間がかかるという問題がある。
【０００５】
そこで、本発明は、板部材を天板の隣から取り外した状態でも、組み込むことができるデスク装置を提供することを目的とする。
【課題を解決するための手段】
【０００６】
上記目的を達成するため、本発明に係るデスク装置は、左右方向に間隔をあけてそれぞれ床面の上に設置された第１支持体および第２支持体と、前記第１支持体および前記第２支持体に支持されて上面が作業面となる天板と、前記天板とは別体に設けられた平板状の板部材と、を有し、前記板部材が前記天板の下側において前記第１支持体と前記第２支持体の間に配置された第１状態と、前記板部材が一方の面が前記天板の上面と面一となるように前記天板と左右方向に隣接して配置された第２状態と、に組み替え可能であることを特徴とする。
【０００７】
本発明では、デスク装置を第２状態とすることにより、板部材の一方の面を天板の上面と共に作業面として使用することができるため、第１状態よりも作業面を拡張させることができる。
また、作業面を拡張させる必要がない場合は、デスク装置を板部材が天板の下側において第１支持体と第２支持体の間に配置された第１状態とすることにより、板部材をデスク装置に組み込むことができる。このため、板部材を天板の隣から取り外した場合に、板部材をデスク装置とは離間する他の場所に保管する必要がなく、板部材の管理が容易となる。
本発明では、デスク装置は、使用者が水平方向に対向した状態で使用されるように構成されている。デスク装置と使用者とが対向する方向を前後方向とし、前後方向に直交する水平方向を左右方向とする。前後方向のうち、デスク装置に対する使用者側を前側とし、使用者側に対するデスク装置側を後側とする。
【０００８】
また、本発明に係るデスク装置では、前記第２状態において、前記板部材は、前記第１支持体または前記第２支持体に支持されていてもよい。
このような構成とすることより、第２状態の板部材を支持するための専用の部材を設ける必要がなく、デスク装置の部品点数を少なくすることができる。
【０００９】
また、本発明に係るデスク装置では、前記第２状態において、前記板部材は、前記板部材を支持する前記第１支持体または前記第２支持体の上面に載置されていてもよい。
このような構成とすることにより、板部材が第１支持体または第２支持体に下側から支持されるため、第２状態の板部材を安定した状態に維持することができる。
【００１０】
また、本発明に係るデスク装置では、前記第２状態において、前記板部材は、前記天板に支持されていてもよい。
このような構成とすることより、第２状態の板部材を支持するための専用の部材を設ける必要がなく、デスク装置の部品点数を少なくすることができる。
【００１１】
また、本発明に係るデスク装置では、前記第１支持体と前記第２支持体とは、左右方向の離間間隔を調整可能に構成されていてもよい。
このような構成とすることにより、第１状態では第１支持体および第２支持体が天板の下側に配置されている場合でも、第２状態とする際に第１支持体と第２支持体との間隔を第１状態よりも広くすれば、第１支持体または第２支持体を天板よりも左右方向の外側に配置させることができる。このため、第１支持体または第２支持体を板部材の下側に配置することができ、第１支持体または第２支持体が板部材を下側から支持することができる。
【００１２】
また、本発明に係るデスク装置では、前記第１支持体および前記第２支持体の少なくとも一方は、内部に物品を収容可能な収納部を有していてもよい。
このような構成とすることにより、第１支持体および第２支持体の少なくとも一方を天板を支持させるとともに収納としても機能させることができ、デスク装置の機能を向上させることができる。
【００１３】
また、本発明に係るデスク装置では、前記第１支持体および前記第２支持体の少なくとも一方は、平面視形状が左右方向の一方の縁部に沿って前後方向に延びる部分と、前後方向の後側の縁部に沿って左右方向に延びる部分と、を有するＬ字形状であってもよい。
このような構成とすることにより、第１支持体および第２支持体の少なくとも一方が安定した状態で床面に設置されるため、天板を確実に支持することができる。
平面視形状とは、形状を規定する対象物を上側から見た場合の形状を示している。
【００１４】
また、本発明に係るデスク装置では、前記板部材の板面が長さの異なる長辺と短辺とを有する長方形に形成され、前記長辺の長さ寸法が、前記天板の前後方向の長さ寸法、および前記第１状態において前記板部材が配置される前記第１支持体と前記第２支持体との間の寸法と同じ寸法であってもよい。
このような構成とすることにより、第１状態では、板部材をその長辺が左右方向に延びる向きとして第１支持体と第２支持体との間に配置することができる。また、第２状態では、板部材をその長辺が前後方向に延びる向きとして天板の左右方向に隣接させると、天板の前端部と板部材の前端部とを前後方向にそろった位置とし、天板の後端部と板部材の後端部とを前後方向にそろった位置とした状態に配置することができる。
【００１５】
また、本発明に係るデスク装置では、前記第１状態では、前記板部材は、棚板として設けられていてもよい。
このような構成とすることにより、第１状態では、板部材の上に物品を収容することができるため、デスク装置の機能性を向上させることができる。
【００１６】
また、本発明に係るデスク装置では、前記第１状態では、前記板部材は、幕板として設けられていてもよい。
このような構成とすることにより、第１状態では、板部材が幕板として機能するため、デスク装置の機能性を向上させることができる。
【００１７】
また、本発明に係るデスク装置では、前記第１状態では、前記板部材は、足載せ台として設けられていてもよい。
このような構成とすることにより、第１状態では、使用者が板部材の上に足を載せることができるため、デスク装置の機能性を向上させることができる。
【発明の効果】
【００１８】
本発明によれば、板部材を天板の隣から取り外した状態でも、デスク装置に組み込むことができる。このため、板部材を天板の隣から取り外した場合に、板部材をデスク装置と離間する他の場所に保管する必要がなく、板部材の管理が容易となる。
【図面の簡単な説明】
【００１９】
【図１】本発明の第１実施形態による第１状態のデスク装置を示す斜視図である。
【図２】本発明の第１実施形態による第２状態のデスク装置を示す斜視図である。
【図３】第１状態のデスク装置の正面図（前側から見た図）である。
【図４】第１状態のデスク装置の背面図（後側から見た図）である。
【図５】デスク装置の分解斜視図である。
【図６】第２状態のデスク装置の正面図（前側から見た図）である。
【図７】第２状態のデスク装置の背面図（後側から見た図）である。
【図８】第２状態のデスク装置の他の形態を示す斜視図である。
【図９】本発明の第２実施形態による第１状態のデスク装置を示す斜視図で第１棚部および第２棚部がデスク本体の左側に設置された様子を示す図である。
【図１０】本発明の第２実施形態による第１状態のデスク装置を示す斜視図で第１棚部および第２棚部が天板の上下に設置された様子を示す図である。
【図１１】本発明の第２実施形態による第２状態のデスク装置を示す斜視図で第１棚部および第２棚部がデスク本体の左側に設置された様子を示す図である。
【図１２】本発明の第２実施形態による第２状態のデスク装置を示す斜視図で第１棚部および第２棚部が天板の上下に設置された様子を示す図である。
【図１３】第１棚部およびブックエンドを説明する図である。
【発明を実施するための形態】
【００２０】
（第１実施形態）
以下、本発明の第１実施形態によるデスク装置１について、図１から図８に基づいて説明する。
図１に示すように、第１実施形態によるデスク装置１は、左右方向に間隔をあけてそれぞれ床面１１の上に設置された第１支持体２および第２支持体３と、第１支持体２および第２支持体３に所定の高さに支持されて上面が作業面となる天板４と、天板４とは別体に設けられた平板状の板部材５と、を有している。
【００２１】
本実施形態では、デスク装置１は、使用者が水平方向に対向して使用されるように構成されている。デスク装置１と使用者とが対向する方向を前後方向とし、前後方向に直交する水平方向を左右方向とする。前後方向のうち、デスク装置１に対する使用者側を前側とし、使用者側に対するデスク装置１側を後側とする。左右方向のうち後側から前側を見た状態の左側および右側をそれぞれ左右方向の左側および右側とする。
デスク装置１は、平面視形状（上方から見た形状）が前後方向よりも左右方向に長い略長方形状に形成されている。
【００２２】
デスク装置１は、図１に示すような板部材５が天板４の下側において第１支持体２と第２支持体３の間に配置された第１状態と、図２に示すような板部材５が一方の面が天板４の上面と面一となるように天板４の左側に隣接して配置された第２状態と、に組み替え可能に構成されている。
板部材５は、第１状態では上部に物品を載置可能な棚板として設けられ、第２状態では一方の面が天板４とともに作業面となる拡張用天板として設けられている。
以下の説明では、まず、第１状態のデスク装置１について説明し、その後に第２状態のデスク装置１について説明する。
【００２３】
図１、図３から図５に示すように、第１支持体２は、床面１１の上に設置され上下方向に延びる第１脚部２１、第２脚部２２および第３脚部２３と、第１脚部２１と第２脚部２２とを連結する第１下側連結部２４および第１上側連結部２５と、第２脚部２２と第３脚部２３とを連結する第２下側連結部２６および第２上側連結部２７と、を有している。
第１脚部２１は、デスク装置１の前側かつ右側の角部近傍に配置されている。第２脚部２２は、デスク装置１の後側かつ右側の角部近傍に配置されている。第３脚部２３は、デスク装置１の後側かつ左側の角部近傍に配置されている。
【００２４】
第１脚部２１は、長尺の平板状に形成され、板面が左右方向を向き、長手方向が下側から上側に向かって漸次後側に向かってやや傾斜する向きに配置されている。
第２脚部２２は、第１脚部２１と略同じ厚さの長尺の平板状に形成され、板面が左右方向を向き長手方向が上下方向となる向きに配置されている。第２脚部２２は、第１脚部２１の後側に間隔をあけて配置されている。
【００２５】
第３脚部２３は、長尺の平板状に形成され、板面が前後方向を向き長手方向が上下方向となる向きに配置されている。第３脚部２３は、第２脚部２２の左側に間隔をあけて配置されている。
本実施形態では、第３脚部２３は、第２支持体３の後述する後板部３１５に固定可能に構成されている。第３脚部２３には、後板部３１５に固定される際に使用される固定具が挿通される孔部２３ａ（図４および図５参照）が上下方向に間隔をあけて３つ形成されている。
【００２６】
第１脚部２１、第２脚部２２および第３脚部２３は、それぞれの下端面が床面１１と当接し、それぞれの上端面が同じ高さに配置され、それぞれの上端面に天板４が載置されるように構成されている。第１脚部２１、第２脚部２２および第３脚部２３は、天板４と固定具や嵌合、接着などによって固定されている。
【００２７】
第１下側連結部２４は、長尺の平板状に形成され、板面が左右方向を向き長手方向が前後方向となる向きで第１脚部２１と第２脚部２２との間に床面１１に沿って配置されている。第１下側連結部２４の前端部は、第１脚部２１の下端部近傍と連結されている。第１下側連結部２４の後端部は、第２脚部２２の下端部近傍と連結されている。第１下側連結部２４の下端面は、床面１１と当接している。
【００２８】
第１上側連結部２５は、第１下側連結部２４と略同じ厚さの長尺の平板状に形成され、板面が左右方向を向き長手方向が前後方向となる向きで第１脚部２１と第２脚部２２との間に配置されている。第１上側連結部２５の前端部は、第１脚部２１の上端部近傍と連結されている。第１上側連結部２５の後端部は、第２脚部２２の上端部近傍と連結されている。第１上側連結部２５の上端面は、第１脚部２１の上端面および第２脚部２２の上端面と略同じ高さに配置され、天板４が載置されるように構成されている。
【００２９】
第１下側連結部２４および第１上側連結部２５は、厚さ寸法（左右方向の寸法）が第１脚部２１および第２脚部２２の厚さ寸法よりも小さく形成され、第１脚部２１および第２脚部２２よりも左右方向の両側に突出しないように配置されている。
第１下側連結部２４と第１上側連結部２５とは、上下方向に間隔をあけて配置されている。
【００３０】
第２下側連結部２６は、長尺の平板状に形成され、板面が前後方向を向き長手方向が左右方向となる向きで第２脚部２２と第３脚部２３との間に配置されている。第２下側連結部２６の右側の端部は、第２脚部２２の下端部近傍と連結されている。第２下側連結部２６の左側の端部は、第３脚部２３の下端部近傍と連結されている。第２下側連結部２６の下端面は、床面１１よりやや上側に配置され床面１１と離間している。
【００３１】
第２上側連結部２７は、長尺の平板状に形成され、板面が前後方向を向き長手方向が左右方向となる向きで第２脚部２２と第３脚部２３との間に配置されている。第２上側連結部２７の右側の端部は、第２脚部２２の上端部近傍と連結されている。第２上側連結部２７の左側の端部は、第３脚部２３の上端部近傍と連結されている。第２上側連結部２７の上端面は、第２脚部２２の上端面および第３脚部２３の上端面と略同じ高さに配置され、天板４が載置されるように構成されている。
【００３２】
第２下側連結部２６および第２上側連結部２７は、厚さ寸法（前後方向の寸法）が第２脚部２２の前後方向の寸法および第３脚部２３の前後方向の寸法（厚さ寸法）よりも小さく形成され、第２脚部２２および第３脚部２３よりも前後方向の両側に突出しないように配置されている。
このような第１支持体２は、平面視形状が略Ｌ字形状となるように形成されている。
【００３３】
第２支持体３は、床面１１の上に設置された収納部３３を有している。第２支持体３は、本体部３１と、本体部３１に出し入れ可能な引出し部３２と、を有している。
本体部３１は、一面が開口した直方体の箱状に形成され、開口する部分が前側を向くように配置されている。図５に示すように、本体部３１は、床面１１の上に設置される下板部３１１と、上端部に配置される上板部３１２と、下板部３１１および上板部３１２の右側に配置された第１側板部３１３と、下板部３１１および上板部３１２の左側に配置された第２側板部３１４と、下板部３１１および上板部３１２の後側に配置された後板部３１５と、を有している。
【００３４】
下板部３１１は、板面が長方形となる平板状に形成され、板面が上下方向を向き、一方の面が床面１１と当接するように床面１１に配置されている。
上板部３１２は、板面が長方形となる平板状に形成され、板面が上下方向を向き、上端面が第１支持体２の上端部と略同じ高さとなるように配置されている。
【００３５】
上板部３１２には、左側の縁部近傍、右側の縁部近傍および左右方向の中央部の３カ所それぞれに上方に突出するダボ３１６が前後方向に間隔をあけて２つずつ計６つ設けられている。これらのダボ３１６は、後述する天板４に形成された孔部４１、および板部材５に形成された孔部５４に挿入可能に構成されている。これらの６つのダボ３１６のうち、上板部３１２の左側の縁部近傍に設けられた２つのダボ３１６をそれぞれ左側ダボ３１６ａとし、上板部３１２の右側の縁部近傍に設けられた２つのダボ３１６をそれぞれ右側ダボ３１６ｂとし、上板部３１２の左右方向の中央部に設けられた２つのダボ３１６をそれぞれ中央ダボ３１６ｃとする。左右方向に隣り合うダボ３１６の間隔（左側ダボ３１６ａと中央ダボ３１６ｃとの左右方向の間隔、および中央ダボ３１６ｃと右側ダボ３１６ｂとの左右方向の間隔）は一定の値となるように設定されている。
【００３６】
第１側板部３１３は、板面が長方形となる平板状に形成され、板面が左右方向を向き、下端面が床面１１と当接し、上端部が上板部３１２の上面と略同じ高さとなるように配置されている。
第２側板部３１４は、板面が長方形となる平板状に形成され、板面が左右方向を向き、下端面が床面１１と当接し、上端部が上板部３１２の上面と略同じ高さとなるように配置されている。
後板部３１５は、板面が長方形となる平板状に形成され、板面が前後方向を向き、下端面が床面１１と当接し、上端部が上板部３１２の上面と略同じ高さとなるように配置されている。
第１側板部３１３、第２側板部３１４および後板部３１５は、それぞれ下板部３１１および上板部３１２と固定されている。
本体部３１の内側で、第１側板部３１３の左側の面および第２側板部３１４の右側の面には、互いに左右方向に対向する位置に引出し部３２を支持するレール（不図示）がそれぞれ上下方向に間隔をあけて３つずつ取り付けられている。
【００３７】
上述しているが本実施形態では、後板部３１５には第３脚部２３が固定可能に構成されている。第３脚部２３は、図４に示す後板部３１５に対して左右方向の左側の端部近傍の左側取付部３１５ａ、右側の端部近傍の右側取付部３１５ｂおよび左右方向の中央部の中央取付部３１５ｃのそれぞれに対して固定可能に構成されている。左側取付部３１５ａと中央取付部３１５ｃとは左右方向に間隔をあけて配置され、中央取付部３１５ｃと右側取付部３１５ｂとは左右方向に間隔をあけて配置されている。第３脚部２３は、左側取付部３１５ａ、右側取付部３１５ｂおよび中央取付部３１５ｃの選択されたいずれか１つに固定される。第３脚部２３の固定位置については後述する。
左側取付部３１５ａ、右側取付部３１５ｂおよび中央取付部３１５ｃには、それぞれ第３脚部２３の孔部２３ａに挿通された固定具が挿通される孔部３１５ｄが上下方向に間隔をあけて３つずつ形成されている。
【００３８】
引出し部３２は、第１側板部３１３および第２側板部３１４それぞれ取り付けられたレールによって前後方向に移動可能に支持されている。本実施形態では、３つの引出し部３２が上下方向に配列されていて、それぞれレールに支持されている。
【００３９】
第２支持体３は、第１支持体２の第３脚部２３、第２下側連結部２６および第２上側連結部２７の前側に略隙間なく配置されているとともに、第１支持体２の第１脚部２１、第１下側連結部２４および第１上側連結部２５の左側に間隔をあけて配置されている。
第２支持体３の左側の端部（第２側板部３１４の左側の面）は、第１支持体２の左側の端部（第３脚部２３の左側の端部）と左右方向の位置が略同じ位置となるように配置されている。第２支持体３の前端部（引出し部３２の前板の前端面）は、第１支持体２の前端部（第１脚部２１の前端部）と前後方向の位置が略同じ位置となるように配置されている。なお、上述した第１支持体２と第２支持体３の位置関係は、第１状態の場合の位置関係となる。
【００４０】
第１支持体２と第２支持体３とは着脱可能に構成されている。本実施形態では、第１支持体２と第２支持体３とが固定される場合は、上述したように第１支持体２の第３脚部２３と、第２支持体３の後板部３１５とが、固定具で固定される。固定された第１支持体２の第３脚部２３と第２支持体３の後板部３１５とは、互いを固定する固定具を外すことで外れ、第１支持体２と第２支持体３とが外れるように構成されている。
【００４１】
本実施形態では、第１支持体２の第３脚部２３が第２支持体３の後板部３１５の右側取付部３１５ｂ、左側取付部３１５ａおよび中央取付部３１５ｃの選択されたいずれか１つに固定されることにより、第１支持体２と第２支持体３の左右方向の固定位置を調整可能に構成されている。
第１支持体２の第３脚部２３が第２支持体３の後板部３１５の左側取付部３１５ａに固定されると、第１状態となる。
第１支持体２の第３脚部２３が第２支持体３の後板部３１５の右側取付部３１５ｂに固定されると、第２状態となる。
第１支持体２の第３脚部２３が第２支持体３の後板部３１５の中央取付部３１５ｃに固定されると、後述する第２状態の他の形態となる。
【００４２】
図１に戻り、天板４は、板面が長方形となる平板状に形成されている。板面の長方形は、長辺と短辺とを有し、短辺が前後方向に延び長辺が左右方向に延びる向きに配置されている。天板４の前後方向の長さ（短辺に沿った長さ）は、第１状態の第１支持体２の第１脚部２１と第２支持体３との間隔と同じ寸法となるように設定されている。
天板４は、板面が水平面となる向きで第１支持体２および第２支持体３の上部に載置され、第１支持体２および第２支持体３に固定されている。
天板４は、右側の縁部近傍の下側および後縁部近傍の下側に第１支持体２が配置され、左側部分の下側に第２支持体３が配置されている。
【００４３】
天板４の下側に配置された第１支持体２は、第１脚部２１が天板４の前側かつ右側の角部近傍の下側に配置され、第２脚部２２が天板４の後側かつ右側の角部近傍の下側に配置され、第３脚部２３が天板４の後側かつ左側の角部近傍の下側に配置されている。また、第１支持体２の第１上側連結部２５は、天板４の右側の縁部近傍の下側に配置されている。第２上側連結部２７は、天板４の後縁部近傍の下側に配置されている。
天板４は、第１支持体２の第１脚部２１、第２脚部２２、第３脚部２３、第１上側連結部２５および第２上側連結部２７の上端部に載置され固定されている。
【００４４】
天板４の左側の部分には、下側に開口し第２支持体３の６つのダボ３１６がそれぞれ嵌合可能な６つの孔部４１が形成されている。
６つの孔部４１は、天板４の左側の縁部近傍に前後方向に間隔をあけて形成された２つの天板左側孔部４１ａと、２つの天板左側孔部４１ａそれぞれの右側に形成された２つの天板中央孔部４１ｃと、２つの天板中央孔部４１ｃそれぞれの右側に形成された２つの天板右側孔部４１ｂと、から構成されている。左右方向に隣り合う孔部４１の間隔は、一定で、左右方向に隣り合うダボ３１６の間隔と同じ値に設定されている。
第１状態の天板４は、天板左側孔部４１ａに左側ダボ３１６ａが嵌合し、天板中央孔部４１ｃに中央ダボ３１６ｃが嵌合し、天板右側孔部４１ｂに右側ダボ３１６ｂが嵌合した状態で、第２支持体３に載置されて固定されている。
【００４５】
板部材５は、板面が長方形となる平板状に形成されている。板面の長方形は、長辺５１と短辺５２と、を有している。この長辺５１に沿った板部材５の長辺方向の長さ寸法Ｌ１（図５参照）は、第１状態の第１支持体２の第１脚部２１と第２支持体３との間の寸法Ｌ２（図１参照）、および天板４の前後方向の寸法Ｌ３（図５参照）と同じ寸法に形成されている。
【００４６】
板部材５は、その長辺方向が左右方向となり板面が上下方向を向く向きで天板４の下側における第１支持体２の第１上側連結部２５と第２支持体３の第１側板部３１３との間に配置されている。本実施形態では、板部材５は、断面形状がＬ字形状のアングル材５３によって、第１支持体２の第１上側連結部２５および第２支持体３の第１側板部３１３に取り付けられている。
板部材５の下側の空間は、椅子に着座した状態でデスク装置１を使用する使用者の下肢が入り込むように構成されている。このため、板部材５は椅子に着座した使用者と干渉しない高さに配置されている。
【００４７】
図５に示すように、板部材５には、下側に開口し第２支持体３のダボ３１６がそれぞれ嵌合可能な４つの孔部５４が形成されている。
４つの孔部５４は、板部材５が長辺が前後方向に延び板面が水平面となる向きに配置された状態において、板部材５の左側の縁部近傍に前後方向に間隔をあけて形成された２つの板部材左側孔部５４ａと、２つの板部材左側孔部５４ａそれぞれの右側に形成された２つの板部材右側孔部５４ｂと、から構成されている。左右方向に隣り合う孔部５４の間隔は、一定で、左右方向に隣り合うダボ３１６の間隔と同じ値に設定されている。
これらの孔部５４には、第１状態ではダボ３１６は挿入されず、第２状態となるとダボ３１６が挿入されるように構成されている。
【００４８】
続いて、第２状態のデスク装置１について説明する。
第２状態では、板部材５が第１支持体２および第２支持体３から取り外されていて、板面が水平面となり長辺方向が前後方向となる向きで天板４の左側に配置されるように構成されている。
第２状態では、上述しているが、第１支持体２の第３脚部２３が第２支持体３の後板部３１５の右側取付部３１５ｂに取り付けられていて、第１状態よりも第１支持体２の第１脚部２１および第２脚部２２と第２支持体３とが左右方向に離間している。
第２支持体３の上には、右側の縁部近傍の部分に、天板４の左側の縁部近傍の部分が載置され、これよりも左側の部分に板部材５が板面を水平面とし長辺方向と前後方向とする向きで載置されている。
このとき、第２支持体３の右側ダボ３１６ｂは、天板４の天板左側孔部４１ａに挿入されている。
中央ダボ３１６ｃは、板部材５の板部材右側孔部５４ｂに挿入され、左側ダボ３１６ａは、板部材５の板部材左側孔部５４ａに挿入されている。
第２状態のデスク装置１では、板部材５の上面が天板４の上面と連続した面一の面となり、板部材５の上面が天板４の上面と共に作業面として利用可能に構成されている。
【００４９】
なお、第２状態において、第１支持体２の第３脚部２３が第２支持体の右側取付部３１５ｂではなく、左側取付部３１５ａまたは中央取付部３１５ｃに取り付けられていてもよい。図８には、第２状態において、第１支持体２の第３脚部２３が第２支持体の中央取付部３１５ｃ（図４参照）に取り付けられているデスク装置１が示されている。このようにすることにより、第３脚部２３が右側取付部３１５ｂに取り付けられている場合と比べて、第１支持体２の第１脚部２１および第２脚部２２と第２支持体３とが左右方向に近接するため、天板４の右側部分が第１支持体２よりも右側に突出した状態となる。
このような状態とすることにより、天板４の前側に設置する椅子とは別に、天板４の右側に左側を向くように椅子を設置することができ、天板４の前側の使用者とは別の使用者が椅子に着座してデスク装置１に向かうことができる。
【００５０】
次に、上述したデスク装置１の作用・効果について図面を用いて説明する。
第１実施形態によるデスク装置１では、デスク装置１を第２状態とすることにより、板部材５の一方の面を天板４の上面と共に作業面として使用することができるため、第１状態よりも作業面を拡張させることができる。
また、作業面を拡張させる必要がない場合は、デスク装置１を板部材５が天板４の下側において第１支持体２と第２支持体３の間に配置された第１状態とすることにより、板部材５をデスク装置１に組み込むことができる。このため、板部材５を天板４の隣から取り外した場合に、板部材５をデスク装置１とは離間する他の場所に保管する必要がなく、板部材５の管理が容易となる。
【００５１】
また、第２状態において、板部材５は、第２支持体３に支持されていることより、第２状態の板部材５を支持するための専用の部材を設ける必要がなく、デスク装置１の部品点数を少なくすることができる。
また、板部材５は、板部材５を支持する第２支持体３の上面に載置されていることにより、板部材５が第１支持体２または第２支持体３に下側から支持されるため、第２状態の板部材５を安定した状態に維持することができる。
【００５２】
また、第１支持体２と第２支持体３とは、左右方向の離間間隔を調整可能に構成されていることにより、第１状態では第１支持体２および第２支持体３が天板４の下側に配置されている場合でも、第２状態とする際に第１支持体２と第２支持体３との間隔を第１状態よりも広くすれば、第１支持体２または第２支持体３を天板４よりも左右方向の外側に配置させることができる。このため、第１支持体２または第２支持体３を板部材５の下側に配置することができ、第１支持体２または第２支持体３が板部材５を下側から支持することができる。
【００５３】
また、第２支持体３は、内部に物品を収容可能な収納部３３を有していることにより、天板４を支持できるとともに収納としても機能でき、デスク装置１の機能を向上させることができる。
【００５４】
また、第１支持体２は、平面視形状が左右方向の一方の縁部に沿って前後方向に延びる部分と、前後方向の後側の縁部に沿って左右方向に延びる部分と、を有するＬ字形状であることにより、第１支持体２および第２支持体３の少なくとも一方が安定した状態で床面１１に設置されるため、天板４を確実に支持することができる。
【００５５】
また、板部材５の板面が長さの異なる長辺５１と短辺５２とを有する長方形に形成され、長辺の長さ寸法Ｌ１が、天板４の前後方向の長さ寸法Ｌ３、および第１状態において板部材５が配置される第１支持体２と第２支持体３との間の寸法Ｌ２と同じ寸法であることにより、第１状態では、板部材５をその長辺が左右方向に延びる向きとして第１支持体２と第２支持体３との間に配置することができる。また、第２状態では、板部材５をその長辺が前後方向に延びる向きとして天板４の左右方向に隣接させると、天板４の前端部と板部材５の前端部とを前後方向にそろった位置とし、天板４の後端部と板部材５の後端部とを前後方向にそろった位置とした状態に配置することができる。
【００５６】
また、第１状態では、板部材５は、棚板として設けられていることにより、第１状態では、板部材５の上に物品を収容することができるため、デスク装置１の機能性を向上させることができる。
【００５７】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図９から図１２に示すように、第２実施形態によるデスク装置１Ｂは、第１実施形態によるデスク装置１の全体をデスク本体部６とすると、デスク本体部６の左右方向の周辺や天板４の上に載置可能な第１棚部７および第２棚部８と、を有している。
第１棚部７および第２棚部８は、第１棚部７の上に第２棚部８を載置すると、第２棚部８の上端部に設けられた上板部８６の上面が天板４および第２状態の板部材５の上面と面一となるように構成されている。図９および図１０では、第１状態のデスク装置１Ｂを示し、図１１および図１２では、第２状態のデスク装置１Ｂを示している。
第１棚部７と第２棚部８とは、別々に天板４の下側や上側に設置可能に構成されている。
【００５８】
第１棚部７は、上側および前側に開口している。なお、第１棚部７は、その向きを変えて使用可能であるため、前側なく左右のいずれか若しくは後側に開口した状態に配置することができるが、説明では図１０および図１２に示すように、上側および前側に開口しているものとする。
第１棚部７は、板面が水平面となる向きに配置される下板部７１と、板面が左右方向を向き下板部７１の右側に配置される第１側板部７２と、板面が左右方向を向き下板部７１の左側に配置される第２側板部７３と、板面が前後方向を向き下板部７１の後側に配置される後板部７４と、を有している。
第１側板部７２、第２側板部７３および後板部７４は、平面視形状が前側に開口するＣ字形状となるように連結され、その内部に下板部７１が設けられている。第１側板部７２、第２側板部７３および後板部７４は、それぞれの高さ寸法が同じで、それぞれの上縁部が同じ高さに配置されているとともにそれぞれの下縁部が同じ高さに配置されている。下板部７１は、第１側板部７２、第２側板部７３および後板部７４の下縁部よりも少し上側となる位置に連結されている。
【００５９】
下板部７１と後板部７４との間には、左右方向の縁部近傍を除いた位置に溝部７５が形成されている。溝部７５の右側の端部近傍には、その他の部分よりも幅寸法（前後方向の寸法）が大きい溝幅拡大部７５ａが形成されている。溝部７５における溝幅拡大部７５ａ以外の部分（溝幅拡大部７５ａよりも左側の部分）を細溝部７５ｂとする。
図１３に示すように、第１棚部７は、下板部７１の上側の空間を左右方向に仕切るブックエンド７６を着脱可能かつ溝部７５に沿って左右方向に移動可能に設置できるようになっている。
【００６０】
ブックエンド７６は、下板部７１の上側の空間を左右方向に仕切る平板状の仕切り板７６１と、仕切り板７６１の下側に取付けられた脚部７６２と、を有している。
脚部７６２は、仕切り板の下端面に取り付けられた上片７６３と、上片７６３の下側に間隔をあけて配置された下片７６４と、上片７６３の後縁部と下片７６４の後縁部とを連結する連結片７６５とを有している。脚部７６２は、左右方向から見た形状が前側に開口するＣ字形状に形成されている。
上片７６３と下片７６４との上下方向の間隔は、下板部７１の厚さ寸法よりもやや大きく設定されている。下片７６４の前後方向の寸法は、細溝部７５ｂの前後方向の寸法（幅寸法）よりも大きく、溝幅拡大部７５ａの前後方向の寸法よりも小さく設定されている。上片７６３の前後方向の寸法は、細溝部７５ｂの前後方向の寸法（幅寸法）よりも大きく設定されている。連結片７６５の前後方向の寸法は、細溝部７５ｂの前後方向の寸法よりも小さく形成されている。
【００６１】
このように形成されたブックエンド７６は、脚部７６２の下片７６４および連結片７６５を下板部７１の上側から溝幅拡大部７５ａに挿入して下片７６４を下板部７１の下側に配置してから、左側に移動させて連結片７６５を細溝部７５ｂに配置するとともに、上片７６３を下板部７１の上側に配置すると、脚部７６２のＣ字形の内側に下板部７１の後縁部が配置され、脚部７６２が下板部７１に取り付けられる。このように脚部７６２が下板部７１に取り付けられることによって、仕切り板７６１が下板部７１の上側に立設する。この状態で、細溝部７５ｂに沿ってブックエンド７６を左右方向に移動させることでブックエンド７６を所望の位置に設置することができる。
ブックエンド７６を取り外す場合は、ブックエンド７６を溝幅拡大部７５ａに移動させて上側に引き出すことで取り外すことができる。
【００６２】
第２棚部８は、前側に開口している。なお、第２棚部８についても、その向きを変えて使用可能であるため、前側なく左右のいずれか若しくは後側に開口した状態に配置することができるが、説明では図１０および図１２に示すように前側に開口しているものとする。
第２棚部８は、板面が水平面となる向きに配置される下板部８１と、板面が左右方向を向き下板部８１の右側に配置される第１側板部８２と、板面が左右方向を向き下板部８１の左側に配置される第２側板部８３と、板面が前後方向を向き下板部８１の下部側における後側に配置される下側後板部８４と、板面が前後方向を向き下板部８１の上部側における後側に配置される上側後板部８５と、第１側板部８２、第２側板部８３および上側後板部８５の上端部に載置される上板部８６と、を有している。
上側後板部８５は、下側後板部８４の上方に間隔をあけて配置されている。
【００６３】
第１側板部８２、第２側板部８３、下側後板部８４および上側後板部８５は、平面視形状が前側に開口するＣ字形状となるように連結され、その内部に下板部８１が設けられている。第１側板部８２、第２側板部８３および上側後板部８５は、それぞれの上縁部が同じ高さに配置されている。下板部８１は、第１側板部８２、第２側板部８３および下側後板部８４の下縁部よりも少し上側となる位置に連結されている。
【００６４】
第１棚部７と第２棚部８とは、幅方向および奥行き方向の寸法が略同じ寸法に形成されていて、第１棚部７の上側に第２棚部８が載置されると、第１棚部７の第１側板部７２の上に第２棚部８の第１側板部８２が載り、第１棚部７の第２側板部７３の上に第２棚部８の第２側板部８３が載り、第１棚部７の後板部７４の上に第２棚部８の下側後板部８４が載るように構成されている。
第２棚部８の上板部８６の幅寸法は、天板４および第２状態の板部材５の前後方向の寸法と略同じ寸法に設定されている。このため、第１棚部７の上に第２棚部８が載置された状態の第１棚部７および第２棚部８が、その幅寸法が前後方向となる向きでデスク本体部６の左側または右側に配置されると、第２棚部８の上板部８６の前縁部は、天板４または第２状態の板部材５の前縁部と左右方向に連続し、第２棚部８の上板部８６の後縁部は、天板４または第２状態の板部材５の後縁部と左右方向に連続するように構成されている。
【００６５】
第２実施形態によるデスク装置１Ｂでは、第１実施形態と同様の効果を奏するとともに、第１棚部７および第２棚部８の配置を変更することで作業面を広くしたり、所望の位置に収納を設けたりすることができる。
【００６６】
以上、本発明によるデスク装置１，１Ｂの実施形態について説明したが、本発明は上記の実施形態に限定されるものではなく、その趣旨を逸脱しない範囲で適宜変更可能である。
例えば、上記の実施形態では、第２状態において、板部材５は、第２支持体３に支持されているが、第２支持体３に代わって天板４に支持されていてもよい。例えば、板部材５は、支持金具などを介して天板４から側方に突出するように天板４に固定されて片持ち状に支持されていてもよい。
また、上記の実施形態では、第２状態において、板部材５は、第２支持体３の上面に載置されているが、第２支持体３の側部に固定されていてもよい。例えば、板部材５は、支持金具などを介して、第２支持体３から側方に突出するように第２支持体３に固定されて片持ち状に支持されていてもよい。
【００６７】
また、上記の実施形態では、第１支持体２と第２支持体３とは、左右方向の離間間隔を調整可能に構成されているが、第２状態において板部材５が天板４と左右方向に隣接し設置可能であれば、左右方向の離間間隔が固定されていてもよい。
【００６８】
また上記の実施形態では、第１支持体２が、平面視形状がＬ字形状に形成され、第２支持体３が収納部３３を有しているが、第１支持体２および第２支持体３は、床面１１の上に設置されて天板４を支持可能な形態であれば、上記以外の形態であってもよい。
また、第１支持体２や第２支持体３が収納部３３を有する形態である場合、収納部３３の形態についても上記以外の形態であってもよい。収納部３３は、例えば、引出しではなく扉が設けられた収納や、扉や引出しの無い開放された収納であってもよい。
【００６９】
また、上記の実施形態では板部材５の板面が長さの異なる長辺５１と短辺５２とを有する長方形に形成され、長辺５１の長さ寸法Ｌ１が、天板４の前後方向の長さ寸法Ｌ３、および第１状態において板部材５が配置される第１支持体２と第２支持体３との間の寸法Ｌ２と同じ寸法であるが、板部材５の形状や寸法は、適宜設定されてよい。
【００７０】
また、上記の実施形態では、第１状態では、板部材５は、棚板として設けられているが、天板４の下側の空間を遮る幕板や、使用者が足を載せることが可能な足載せ台として第１支持体２と第２支持体３との間に設けられていてもよい。
【符号の説明】
【００７１】
１，１Ｂ  デスク装置
２  第１支持体
３  第２支持体
４  天板
５  板部材
１１  床面
３３  収納部
５１  長辺
５２  短辺
【図１】
2018192184.tif 000003
【図２】
2018192184.tif 000004
【図３】
2018192184.tif 000005
【図４】
2018192184.tif 000006
【図５】
2018192184.tif 000007
【図６】
2018192184.tif 000008
【図７】
2018192184.tif 000009
【図８】
2018192184.tif 000010
【図９】
2018192184.tif 000011
【図１０】
2018192184.tif 000012
【図１１】
2018192184.tif 000013
【図１２】
2018192184.tif 000014
【図１３】
2018192184.tif 000015